(57)【要約】【課題】開封時に外側円筒部の口縁部にけば立ちを生じさせることがなく、また輸送時にキャップが不用意に注出口から剥離することのない注出口組立体を提供する。【解決手段】注出口組立体は、容器の外側に位置する外側円筒部と、容器の内面に固着される内側取付部とからなる注出口と、前記注出口の外側円筒部に着脱可能に取り付けられたキャップを備える。注出口の外側円筒部はその口縁部より下方の内壁に環状内周突起を備える。この環状内周突起に薄膜部を介して剥離可能に密閉蓋が取り付けられており、密閉蓋は嵌合パターンを備える。キャップはその天板の上面に前記嵌合パターンに係合する被嵌合パターンを備える。【選択図】　図１
2004099156.tif 000002
【特許請求の範囲】
【請求項１】
容器の外側に位置する外側円筒部と、容器の内面に固着される内側取付部とからなる注出口と、前記注出口の外側円筒部に着脱可能に取り付けられたキャップを備える注出口組立体において、前記注出口の外側円筒部はその口縁部より下方の内壁に環状内周突起を備え、この環状内周突起に薄膜部を介して剥離可能に密閉蓋が取り付けられ、前記密閉蓋は嵌合パターンを備え、前記キャップはその天板の上面に前記嵌合パターンに係合する被嵌合パターンを備えることを特徴とする注出口組立体。
【請求項２】
嵌合パターンは凸状パターンであり、被嵌合パターンは前記嵌合パターンに係合する凹状パターンであることを特徴とする請求項１に記載の注出口組立体。
【請求項３】
嵌合パターンは凹状パターンであり、被嵌合パターンは前記嵌合パターンに係合する凸状パターンであることを特徴とする請求項１に記載の注出口組立体。
【請求項４】
嵌合パターンは雄螺子からなり、被嵌合パターンは前記嵌合パターンに係合する雌螺子からなることを特徴とする請求項１に記載の注出口組立体。
【請求項５】
キャップの胴部の上端に、キャップの被嵌合パターンを注出口の嵌合パターンに係合させるときキャップの注出口に対する位置を規制するためのガイドリングが連設されていることを特徴とする請求項１乃至４の何れか一項に記載の注出口組立体。
【請求項６】
キャップはその天板の下面から垂下する、注出口の外側円筒部の内周面に接触する環状リングを備えることを特徴とする請求項１乃至５の何れか一項に記載の注出口組立体。
【請求項７】
キャップの胴部の下端に薄肉部を介してピルファープルーフバンドが連設され、このピルファープルーフバンドの裏面には円周方向に沿って突起が設けられ、この突起は注出口の外側に突設された外周突起に係合するように構成されていることを特徴とする請求項１乃至６の何れか一項に記載の注出口組立体。
【請求項８】
注出口の外側円筒部と内側取付部の間にフランジ部を備えることを特徴とする請求項１乃至７の何れか一項に記載の注出口組立体。
【請求項９】
さらに注出口の外側円筒部とフランジ部の間に注出口組立体把持用の第２のフランジ部を備えることを特徴とする請求項８に記載の注出口組立体。
【請求項１０】
内側取付部は一対の接着板と、この一対の接着板内に設けられると共に外側円筒部に連通する内側円筒部とからなることを特徴とする請求項１乃至９の何れか一項に記載の注出口組立体。
【請求項１１】
注出口組立体は軟包装袋タイプの容器に取付け使用される注出口組立体であって、内側円筒部の下端に、容器壁同士が密着することにより前記下端への液体の流路が閉塞されることを防止するための閉塞防止手段が連設されていることを特徴とする請求項１乃至１０の何れか一項に記載の注出口組立体。
【請求項１２】
閉塞防止手段はその長手方向に延びる３つ乃至４つの仕切り壁を有し、仕切り壁間に液体流路が確保され、該液体流路は内側円筒部内に連絡していることを特徴とする請求項１１に記載の注出口組立体。
【発明の詳細な説明】
【０００１】
【発明の属する技術分野】
本発明は、軟包装袋タイプの容器または紙容器に取り付けられる注出口とキャップが一体化した注出口組立体に関する。
【０００２】
【従来の技術】
従来から、軟包装袋タイプの柔軟容器に取り付けられる注出口とキャップを一体成形した注出口組立体が知られている（特許文献１及び特許文献２参照）。
【０００３】
例えば、特許文献１に記載されたものは、柔軟容器に取り付けられた注出口と、この注出口を閉じるためのキャップとからなり、このキャップは注出口に裏返しの状態で一体成形されている。このように注出口とキャップを一体成形することにより、製造コストの低減を図ると共に、容器内に内容物を充填後にいちいち注出口にキャップを装着する手間を省くことができる。
【０００４】
上述のように、注出口とキャップとを一体成形してなる注出口組立体が知られている。しかしながら、このような注出口組立体は、注出口にキャップを裏返しの状態で取り付けたものであり、キャップの裏側が外方に露出している。このため、キャップを注出口から取り外した後、注出口に装着する場合、外方に露出していたキャップの裏側が注出口内部に入り込むため、非衛生である。また注出口から取り外されたキャップを注出口に装着する場合、キャップを反転する必要があり、キャップの装着動作に手間取ってしまう。
【０００５】
この従来の注出口組立体の欠点を解消した、衛生上優れ且つキャップの装着動作を簡単に行うことができる注出口組立体が特許文献３に開示されている（特許文献３参照）。
【０００６】
図１１乃至図１２は、特許文献３に開示された注出口組立体の一実施形態を示す。図１１は前記注出口組立体の実施形態の斜視図を示す。また図１２は同注出口組立体の実施形態を示し、（Ａ）は部分断面図、（Ｂ）は部分底面図、（Ｃ）は拡大断面図、（Ｄ）は平面図である。
【０００７】
図１１乃至図１２において、注出口組立体はプラスチック製柔軟容器３５に固着される注出口３０と、この注出口３０に剥離自在に取り付けられたキャップ４０とを備える。注出口３０とキャップ４０はプラスチックにより一体成形されている。
【０００８】
注出口３０は、容器３５の開口周縁に位置するフランジ部３１と、フランジ部３１に固着され、容器３５の外側に位置する外側円筒部３３とからなる。外側円筒部３３の内面には円周方向に沿って係合突起３７が設けられている。
【０００９】
さらに、フランジ部３１には、容器３５の内面に固着される内側取付部３２が設けられている。この内側取付部３２は、一対の接着板３２ａ、３２ａを組み合わせてなり、中央部分において、一対の接着板３２ａ、３２ａの幅が増加し、両端側に進むにつれて徐々にその幅は減少している。そして、注出口組立体は、一対の接着板３２ａ、３２ａを容器３５の内面に接着することにより、内側取付部３２が容器３５の内面に固着されるように構成されている。
【００１０】
また、内側取付部３２内には、外側円筒部３３に連通する内側円筒部３４が設けられている。
【００１１】
一方、キャップ４０は、注出口３０の外側円筒部３３の端部に、薄肉部４８を介して取り付けられ、キャップ４０を薄肉部４８を介して外側円筒部３３から容易に剥離できるように構成されている。
【００１２】
キャップ４０は、円筒状中央部４１と、中央部４１の上側（図１１の上方）に連結リブ４４を介して固着された上板４５を有する。また、中央部４１にはその下側（図１１の下方）に延びる一対の係合するリブ４２が互いに相対して設けられ、この一対の係合リブ４２の下端に段部４２ａが形成されている。この段部４２ａは、外側円筒部３３内にキャップ４０を装着したときに、外側円筒部３３の上端部に当接する部分であり、この際、キャップ４０の剥離端４８ａが係合突起３７を乗り越えて係合突起３７と係合するように構成されている。
【００１３】
また、中央部３１には、その下側（図１１の下方）に延びる一対の傾斜リブ４３が互いに向かい合って設けられ、各係合突起４２及び各傾斜リブ４３は互いに９０°ずつ離間して配置されている。
【００１４】
また、一対の係合リブ４２の下部には、フランジ部３１と平行して（図１の水平方向に）、水平リブ４６が設けられ、さらに水平リブ４６の外周には突出リブ４６ａが設けられている。
【００１５】
次に、上記したような構成の注出口組立体の作用について説明する。先ず柔軟容器３５の開口周縁に、注出口組立体が固着される。この場合、内側取付部３２の一対の接着板３２ａ、３２ａが容器３５の内面に接着され、内側取付部３２が容器３５の内面に固着される。この状態で、注出口３０の外側円筒部３３にキャップ４０が取り付けられている。
【００１６】
次に、注出口３０側を押さえておき、キャップ４０を傾けて外側円筒部４０を薄肉部４８を介して剥離する。その後、キャップ４０を反転させることなく、そのままの姿勢でキャップ４０を外側円筒部４３内に押し込み、キャップ４０の一対の係合リブ４２の段部４２ａが外側円筒部３３の上端部に当接してキャップ４０が停止する。このようにして外側円筒部３３がキャップ４０により密封される。この場合、キャップ４０の剥離端４８ａが、外側円筒部３３のの係合突起３７を乗り越えた後、係合突起３７に係合する。このとき、突出リブ４６ａが外側円筒部３３の内面に当接して、突出リブ４６ａと外側円筒部３３の内面の間でシール性が保たれる。また、キャップ４０は段部４２ａと剥離端４８ａの両側から外側円筒部３３に係止されるので、キャップ４０を外側円筒部３３に堅固に固定することができる。
【００１７】
【特許文献１】
特開平５−１６２７５６号公報
【特許文献２】
特開平５−２２９５６６号公報
【特許文献３】
特開平９−２４９２３７号公報（要約、図２乃至図５）
【００１８】
【発明が解決しようとする課題】
しかしながら、上記の注出口組立体は、キャップ４０がキャップ４０の装着方向に向いた状態で外側円筒部３３の方向に取り付けられているので、キャップ４０を常に衛生的な状態で用いることができるという利点があるものの、キャップ４０を注出口３０から取り外したとき外側円筒部３３の口縁部に沿ってけば立ちが生じ、このけば立ちにより再封時の密封性が低下せしめられる。また外側円筒部３３の口縁部は吸い口として利用されるところであり、この部分にけば立ちが存在するとけば立ち部分が口にあたっていたいという問題がある。また輸送時にキャップ４０が注出口３０に対して折れ曲がり薄肉部４８が破断されることにより不用意に注出口３０から離れてしまうという問題がある。
【００１９】
本発明の目的は、上記の欠点を解消した、開封時に外側円筒部の口縁部にけば立ちを生じさせることがなく、また輸送時にキャップが不用意に注出口から剥離することのない注出口組立体を提供することである。
【００２０】
【課題を解決するための手段】
請求項１に記載の発明は、上記の課題を解決するもので、容器の外側に位置する外側円筒部と、容器の内面に固着される内側取付部とからなる注出口と、前記注出口の外側円筒部に着脱可能に取り付けられたキャップを備える注出口組立体において、前記注出口の外側円筒部はその口縁部より下方の内壁に環状内周突起を備え、この環状内周突起に薄膜部を介して剥離可能に密閉蓋が取り付けられ、前記密閉蓋は嵌合パターンを備え、前記キャップはその天板の上面に前記嵌合パターンに係合する被嵌合パターンを備えることを特徴とする。
【００２１】
本発明の注出口組立体において、嵌合パターンは凸状パターンであり、被嵌合パターンは前記嵌合パターンに係合する凹状パターンとすることができる。
【００２２】
本発明の注出口組立体において、嵌合パターンは凹状パターンであり、被嵌合パターンは前記嵌合パターンに係合する凸状パターンとすることができる。
【００２３】
本発明の注出口組立体において、嵌合パターンは雄螺子からなり、被嵌合パターンは前記嵌合パターンに係合する雌螺子からなるものとすることができる。
【００２４】
本発明の注出口組立体において、キャップの胴部の上端に、キャップの被嵌合パターンを注出口の嵌合パターンに係合させるときキャップの注出口に対する位置を規制するためのガイドリングを連設することができる。
【００２５】
本発明の注出口組立体において、キャップにはその天板の下面から垂下する、注出口の外側円筒部の内周面に接触する環状リングが備えることができる。
【００２６】
本発明の注出口組立体において、キャップの胴部の下端に薄肉部を介してピルファープルーフバンドが連設され、このピルファープルーフバンドの裏面には円周方向に沿って突起が設けられ、この突起は注出口の外側に突設された外周突起に係合するように構成されていることが好ましい。
【００２７】
本発明の注出口組立体には、注出口の外側円筒部と内側取付部の間にフランジ部を備えることができる。
【００２８】
本発明の注出口組立体には、さらに注出口の外側円筒部とフランジ部の間に注出口組立体把持用の第２のフランジ部を備えることができる。
【００２９】
本発明の注出口組立体において、内側取付部は一対の接着板と、この一対の接着板内に設けられると共に外側円筒部に連通する内側円筒部とからなるものとすることができる。
【００３０】
軟包装袋タイプの容器に取付け使用される本発明の注出口組立体には、内側円筒部の下端に、容器壁同士が密着することにより前記下端への液体の流路が閉塞されることを防止するための閉塞防止手段を連設することができる。その場合において、閉塞防止手段はその長手方向に延びる３つ乃至４つの仕切り壁を有し、仕切り壁間に液体流路が確保され、該液体流路は内側円筒部内に連絡しているものとすることができる。
【００３１】
本発明の注出口組立体によれば、キャップを注出口から取り外し、注出口の嵌合パターンにキャップの被嵌合パターンを係合させ、キャップを注出口に対して回転させることにより密閉蓋を注出口の外側円筒部の環状内周突起から剥離して注出口の密封を容易に解くことができる。その場合において、外側円筒部の上端に、キャップの被嵌合パターンを注出口の嵌合パターンに係合させるとき外側円筒部の外周面の位置を規制するためのガイドリングを設けることにより、密閉蓋と環状円周突起の間の薄肉部を引きちぎるときに注出口の外側円筒部の内面を傷付けないようにガイドリングの外側円筒部の外面への接触によりキャップの注出口に対する位置を規制することができる。
また、剥離部が外側円筒部の中にあるので従来のように輸送時にキャップが不用意に注出口から剥離することはない。
また、開封後はキャップを注出口に冠着することにより衛生状態を保って再封することができる。
【００３２】
本発明の注出口組立体は開封するまでは密閉蓋により液密に密封されているので密封性が要求される包装内容物、例えばレトルト食品の包装に特に有効に活用することができる。また栄養剤、ドリンク類の包装にも利用することができる。
更に食品類のほかに医薬品、洗剤等の包装にも利用することができる。
【００３３】
また、キャップがその天板の下面から垂下する、注出口の外側円筒部の内周面に接触する環状リングが備える場合、再封時にこの環状リングが外側円筒部の内周部に密着し液漏れしないように再封することができる。
【００３４】
また、キャップの胴部の下端に薄肉部を介して連設されたピルファープルーフバンドを備えることにより開封したことが一目でわかるので、包装内容物に対する悪戯を防止することができる。
【００３５】
また、本発明の注出口組立体は、フランジ部及び内側取付部を備えることにより容器への取付が可能になる。
【００３６】
また、注出口の外側円筒部とフランジ部の間に注出口組立体把持用の第２のフランジ部を備えることにより搬送コンベア（図示せず）による注出口組立体の搬送が容易となる。
【００３７】
また、内側円筒部の下端に、容器壁同士が密着することにより前記下端への液体の流路が閉塞されることを防止するための閉塞防止手段を備えることにより、水溶液またはゼリー状溶液の内容液を軟包装袋から注出口を通して容易に吸い出すことができる。
【００３８】
【発明の実施の形態】
次に本発明の注出口組立体について、図面を参照して詳細に説明する。
【００３９】
図１は本発明の注出口組立体の断面図である。図２は本発明の注出口組立体のキャップを示し、（Ａ）は上面図、（Ｂ）は正面図、（Ｃ）は底面図である。図３は注出口を示し、（Ａ）は上面図、（Ｂ）は正面図、（Ｃ）は側面図、（Ｄ）は底面図である。
【００４０】
本発明の注出口組立体は、容器２１の外側に位置する外側円筒部２と、容器２１の内面に固着される内側取付部４とからなる注出口１と、注出口１の外側円筒部２に着脱可能に取り付けられたキャップ１０を備える。尚、外側円筒部２と内側取付部４の間にフランジ部３が設けられている。
【００４１】
注出口１の外側円筒部２はその口縁部より下方の内壁に環状内周突起５を備え、この環状内周突起５に薄膜部６を介して剥離可能に密閉蓋７が取り付けられている。また、密閉蓋７の上面に十字型の凸パターンからなる嵌合パターン８（図３（Ａ））が備えられている。また注出口１の外側円筒部２は螺子山９が設けられており、キャップ１０に螺着可能に構成されている。また外側円筒部２の下方外面には後述するピルファープルーフバンドの下端内側に円周方向に設けられた突起と係合する環状外周突起２ｂを備える。
【００４２】
また、キャップ１０はその天板１１の上面に前記嵌合パターン８に係合する十字型の凹状パターンからなる被嵌合パターン１２（図２（Ａ））を備える。
【００４３】
キャップ１０にはその天板１１の下面から垂下する、注出口１の外側円筒部２の内周面に接触する環状リング１１ａが突設されており、且つ天板１１の上面側に環状リング１１ａに対応する位置に円周方向に沿って凸部１１ｂが設けられている。また凸部１１ｂの外側に、環状空隙１１ｄを介して、キャップ１０の被嵌合パターン１２を注出口１の嵌合パターン８に係合させるときキャップ１０の注出口１に対する位置を規制するためのガイドリング１１ｃがキャップ１０の胴部１３の上端に連続して設けられている。
【００４４】
本発明の注出口組立体は開封するまでは密閉蓋７により液密に密封されているので密封性が要求される包装内容物、例えばレトルト食品の包装に特に有効に活用することができる。また栄養剤、ドリンク類の包装にも利用することができる。更に食品類のほかに医薬品、洗剤等の包装にも利用することができる。
【００４５】
また、キャップ１０の胴部１３の内側には螺子溝１５が設けられ、注出口１に螺着可能に構成されている。胴部の下端１３ａには薄肉部１６を介してピルファープルーフバンド１７が連設されている。ピルファープルーフバンド１７の下端内側には円周方向に沿って突起１７ａが設けられており、外側円筒部２の下方外面に設けられた環状外周突起２ｂに係合するように構成されている。
【００４６】
また、キャップ１０の胴部１３の外側にローレット１４が刻設されており、キャップ１０の把持、回転が容易に構成されている。
【００４７】
また、図３（Ｄ）に示すように、内側取付部４は一対の接着板４ａ、４ａと、この一対の接着板４ａ、４ａ内に設けられると共に外側円筒部２に連通する内側円筒部２ａとからなる。
【００４８】
注出口１を開封するときには、先ずキャップ１０を注出口１に対して回転することにより薄肉部１６を引き裂き、更にキャップ１０を注出口１に対して回転して取り外す。次いで図４（Ａ）に示すようにキャップ１０を逆さにして注出口１の嵌合パターン８にキャップ１０の被嵌合パターン１２を係合させ、キャップ１０を注出口１に対して回転させることにより薄肉部６を引き裂き、密閉蓋７を注出口１の外側円筒部２の環状内周突起５から剥離して注出口１の密封を容易に解くことができる。その場合において、外側円筒部２の上端に、キャップ１０の被嵌合パターン１２を注出口１の嵌合パターン８に係合させるとき、外側円筒部２の外面にガイドリング１１ｃが接触することにより、薄肉部６を引きちぎるときに注出口１の外側円筒部２の内面を傷付けないようにキャップ１０の注出口１に対する位置を規制することができる。
また、剥離部となる密閉蓋７が外側円筒部２の中にあるので従来のように輸送時にキャップが不用意に注出口から剥離することはない。
【００４９】
また、キャップ１０が環状リング１１ａを備える場合、再封時にこの環状リング１１ａが外側円筒部２の内周部に密着し液漏れしないように再封することができる。
【００５０】
また図４（Ｂ）はキャップ１０で注出口１を再封した状態を示し、この図に示すように、開封後はキャップ１０を注出口１に冠着することにより衛生状態を保って再封することができる。
【００５１】
図１乃至３に示す実施の形態において注出口１の嵌合パターン８を凹状パターンに形成し、一方キャップ１０の被嵌合パターン１２を凸状パターンに形成してもよい。
【００５２】
図５は一文字型の凹状パターンからなるキャップ１０の被嵌合パターン１２と一文字型の凸状パターンからなる注出口１の嵌合パターン８を示すものである。このように被嵌合パターン１２と嵌合パターン８は任意の形状に形成することができる。
【００５３】
図６は、環状リング１１ａ及び凸部１１ｂを無くし、キャップ１０の被嵌合パターン１２を環状空隙１１ｄに連続するように形成し、一方注出口１の嵌合パターン８を十字の各端部を外側円筒部２の内面に近接させて形成した態様を示す。
【００５４】
図７は本発明の注出口組立体を自立性袋、所謂スタンディングパウチに取り付けた状態を示す。また、本発明の注出口組立体は、その他に、ガゼット袋（袋の断面がＷ型になっていて内容物を入れると角形になる袋）、四方にシール部が形成された四方シール包装袋等の軟包装袋、紙容器等に取り付けて活用することができる。
【００５５】
図８は注出口の変形態様を示し、（Ａ）は上面図、（Ｂ）は正面図、（Ｃ）は側面図、（Ｄ）は底面図を示す。
【００５６】
この変形態様においては、注出口１の外側円筒部２とフランジ部３の間にフランジ部３よりも小型の注出口組立体把持用の第２のフランジ部３ａが備えられている。この第２のフランジ部３ａが注出口組立体に備わっていることにより搬送コンベア（図示せず）による注出口組立体の搬送が容易となる。
【００５７】
図９は注出口のさらに別の変形態様を示し、（Ａ）は正面図、（Ｂ）は側面図、（Ｃ）は図９（Ａ）に示すＡ−Ａに沿って切断した断面図を示す。
【００５８】
内側円筒部２ａの下端に、容器壁同士が密着することにより前記下端への液体の流路が閉塞されることを防止するための閉塞防止手段１８が連設されている。
この閉塞防止手段１８はその長手方向に延びる３つ乃至４つの仕切り壁２０を有する流体案内路１８ｂと、複数の、周方向に間隔をおいて設けられた仕切り壁２０を内側取付部に連結する連結部１９からなり連結部１９間の開口部を経て内側取付部内の内側円筒部２ａに流体案内路を連絡する連絡部１８ａとからなる。
【００５９】
注出口組立体に閉塞防止手段１８が備わっていることにより、容器壁同士が密着することにより前記下端への液体の流路が閉塞されることなく、水溶液またはゼリー状溶液の内容液を軟包装袋から注出口を通して容易に吸い出すことができる。
【００６０】
図１０は、本発明の注出口組立体の変形態様を示す。図１０（Ａ）に示すように注出口１の嵌合パターン２２は雄螺子からなり、キャップ１０の被嵌合パターン２３は前記嵌合パターン２２に係合する雌螺子からなる。
【００６１】
図１０（Ｂ）に示すように、注出口１を開封するときには、先ずキャップ１０を注出口１に対して回転することにより薄肉部１６を引き裂き、更にキャップ１０を注出口１に対して回転して取り外す。次いで図１０（Ｂ）に示すようにキャップ１０を逆さにして注出口１の嵌合パターン２２にキャップ１０の被嵌合パターン２３を螺合させ、キャップ１０を注出口１に対して回転させることにより薄肉部６を引き裂き、密閉蓋７を注出口１の外側円筒部２の環状内周突起５から剥離して注出口１の密封を容易に解くことができる。
【００６２】
本発明の注出口組立体は、ポリプロピレン（ＰＰ）、高密度ポリエチレン（ＨＤＰＥ）、低密度ポリエチレン（ＬＤＰＥ）及び線状超低密度ポリエチレン（ＬＬＤＰＥ）等の材料を用いて注出口及びキャップを射出成形し、キャップを注出口に螺合させて、ピルファープルーフバンド１７の下端内側の突起１７ａが外側円筒部２の下方外面の環状外周突起２ｂを乗り越えるまでキャップを注出口に押し込むことによりに形成することができる。
【００６３】
【発明の効果】
以上詳細に説明したように、本発明の注出口組立体は容器の外側に位置する外側円筒部と、容器の内面に固着される内側取付部とからなる注出口と、前記注出口の外側円筒部に着脱可能に取り付けられたキャップを備える注出口組立体において、前記注出口の外側円筒部はその口縁部より下方の内壁に環状内周突起を備え、この環状内周突起に薄膜部を介して剥離可能に密閉蓋が取り付けられ、前記密閉蓋は嵌合パターンを備え、前記キャップはその天板の上面に前記嵌合パターンに係合する被嵌合パターンを備えることを特徴とするもので、キャップを注出口から取り外し、注出口の嵌合パターンにキャップの被嵌合パターンを係合させ、キャップを注出口に対して回転させることにより密閉蓋を注出口の外側円筒部の環状内周突起から剥離して注出口の密封を容易に解くことができる。また開封したとき外側項縁部にけば立ちは存在しないので、液体包装物を飲用するときに飲み口のけば立ちの部分が口にあたり口がいたいという問題は解消され、またけば立ちが口縁部に存在することにより密封性が損なわれるという問題も解消された。また、外側円筒部の上端に、キャップの被嵌合パターンを注出口の嵌合パターンに係合させるとき外側円筒部の外周面の位置を規制するためのガイドリングを設けることにより、密閉蓋と環状円周突起の間の薄肉部を引きちぎるときに注出口の外側円筒部の内面を傷付けないようにガイドリングの外側円筒部の外面への接触によりキャップの注出口に対する位置を規制することができる。また、剥離部が外側円筒部の中にあるので従来のように輸送時にキャップが不用意に注出口から剥離することはない。さらにまた、開封後はキャップを注出口に冠着することにより衛生状態を保って再封することができる。
【００６４】
本発明の注出口組立体は開封するまでは密閉蓋により液密に密封されているので密封性が要求される包装内容物、例えばレトルト食品の包装に特に有効に活用することができる。また栄養剤、ドリンク類の包装にも利用することができる。
更に食品類のほかに医薬品、洗剤等の包装にも利用することができる。
【図面の簡単な説明】
【図１】本発明の注出口組立体の断面図である。
【図２】本発明の注出口組立体のキャップを示し、（Ａ）は上面図、（Ｂ）は正面図、（Ｃ）は底面図である。
【図３】注出口を示し、（Ａ）は上面図、（Ｂ）は正面図、（Ｃ）は側面図、（Ｄ）は底面図である。
【図４】注出口の開封の仕方及び再封の状態を示し（Ａ）は注出口の開封の仕方を示す断面図、（Ｂ）は再封の状態を示す断面図である。
【図５】嵌合パターン及び被嵌合パターンの変形態様を示し、（Ａ）は変形態様の被嵌合パターンを有するキャップの上面図、（Ｂ）は変形態様の嵌合パターンを有する注出口の上面図である。
【図６】嵌合パターン及び被嵌合パターンの別の変形態様を示し、（Ａ）は変形態様の被嵌合パターンを有するキャップの上面図、（Ｂ）は変形態様の嵌合パターンを有する注出口の上面図である。
【図７】本発明の注出口組立体を有するスタンディングパウチの正面図である。
【図８】注出口の変形態様を示し（Ａ）は上面図、（Ｂ）は正面図、（Ｃ）は側面図、（Ｄ）は底面図である。
【図９】注出口の別の変形態様を示し、（Ａ）は一部を断面図で示す正面図、（Ｂ）は側面図、（Ｃ）は（Ａ）に示すＡ−Ａ線に沿って切断した断面図である。
【図１０】本発明の注出口組立体の変形態様を示し、（Ａ）は変形態様の注出口組立体の断面図、（Ｂ）は前記注出口組立体の開封時の状態を示す断面図である。
【図１１】特許文献３に記載の注出口組立体の実施形態の斜視図を示す。
【図１２】同注出口組立体の実施形態を示し、（Ａ）は部分断面図、（Ｂ）は部分底面図、（Ｃ）は拡大断面図、（Ｄ）は平面図である。
【符号の説明】
１　　　注出口
２　　　外側円筒部
２ａ　　内側円筒部
２ｂ　　環状外周突起
３　　　フランジ部
４　　　内側取付部
４ａ　　接着板
５　　　環状内周突起
６　　　薄膜部
７　　　密閉蓋
８　　　嵌合パターン
９　　　螺子山
１０　　キャップ
１１　　天板
１１ａ　環状リング
１１ｂ　凸部
１１ｃ　ガイドリング
１１ｄ　環状空隙
１２　　被嵌合パターン
１３　　胴部
１３ａ　胴部の下端
１４　　ローレット
１５　　螺子溝
１６　　薄膜部
１７　　ピルファープルーフバンド
１７ａ　突起
１８　　閉塞防止手段
１８ａ　連絡部
１８ｂ　流体案内部
１９　　連結部
２０　　仕切り壁
２１　　容器
２２　　嵌合パターン
２３　　被嵌合パターン
３０　　注出口
３１　　フランジ部
３２　　内側取付部
３２ａ　接着板
３３　　外側円筒部
３４　　内側円筒部
３５　　容器
３７　　係合突起
４０　　キャップ
４１　　中央部
４２　　係合リブ
４２ａ　段部
４３　　傾斜リブ
４４　　連結リブ
４５　　上板
４６　　水平リブ
４６ａ　突出リブ
４８　　薄肉部
４８ａ　剥離端
【図１】
2004099156.tif 000003
【図２】
2004099156.tif 000004
【図３】
2004099156.tif 000005
【図４】
2004099156.tif 000006
【図５】
2004099156.tif 000007
【図６】
2004099156.tif 000008
【図７】
2004099156.tif 000009
【図８】
2004099156.tif 000010
【図９】
2004099156.tif 000011
【図１０】
2004099156.tif 000012
【図１１】
2004099156.tif 000013
【図１２】
2004099156.tif 000014